(57)【要約】  【課題】  紙に手書きする利点はそのままに、簡単に服薬指導の内容を記録できるようにした調剤支援シートの印刷装置を提供する。  【解決手段】  手書き領域を含む複数の領域を有するシートを印刷するシート印刷装置であって、シートに印刷する情報を記憶するデータベースと、入力されたデータを２次元シンボルデータに変換して出力する２次元シンボル生成手段と、前記データベースからシートに印刷する情報を読み出して印刷データとして出力するとともに、前記手書き領域の位置情報を前記２次元シンボル生成手段に出力するシート出力制御手段と、前記シート出力制御手段と２次元シンボル生成手段が出力する印刷データ及び２次元シンボルデータとを入力しプリンタに出力して印刷する印刷制御手段とを備えた構成である。  【選択図】図１
2006146322.tif 000002
【特許請求の範囲】
【請求項１】
手書き領域を含む複数の領域を有するシートを印刷するシート印刷装置であって、
シートに印刷する情報を記憶するデータベースと、
入力されたデータを２次元シンボルデータに変換して出力する２次元シンボル生成手段と、
前記データベースからシートに印刷する情報を読み出して印刷データとして出力するとともに、前記手書き領域の位置情報を前記２次元シンボル生成手段に出力するシート出力制御手段と、
前記シート出力制御手段と２次元シンボル生成手段が出力する印刷データ及び２次元シンボルデータとを入力しプリンタに出力して印刷する印刷制御手段と、を備えたシート印刷装置。
【請求項２】
前記シート出力制御手段はさらに、前記データベースから読み出した情報の一部と前記手書き領域の名称をあらわすデータとを手書き領域の位置情報とともに前記２次元シンボル生成手段に出力するものである、請求項１に記載のシート印刷装置。
【請求項３】
シート表面の画像データを読み取る画像読取手段と、
読み取った画像データを記憶する画像記憶手段と、
画像記憶手段に記憶されたシート画像から２次元シンボルを読み出して元の情報に変換して出力する２次元シンボル読出解析手段と、
画像記憶手段に記憶されたシート画像から指定された領域の画像データを切出して出力する画像切出し手段と、
画像データを含む情報を記憶するデータベースと、
入力されたデータを前記データベースに登録する登録手段と、
前記２次元シンボル読出解析手段が出力する情報に従ってシート画像から切出す位置を決定し、前記画像切出し手段に画像の切出しを指示するとともに、画像切出し手段が出力する画像データを取り込み前記登録手段に出力して画像データの登録を指示する制御手段と、を備えたシート画像登録装置。
【請求項４】
手書き領域を含む複数の領域を有する調剤支援シートを印刷するシート印刷装置であって、
患者の薬歴を記憶する患者薬歴情報データベースと、
患者の氏名等の固有情報を記憶する患者固有情報データベースと、
入力されたデータを２次元シンボルに変換して出力する２次元シンボル生成手段と、
前記データベースから患者固有情報及び患者薬歴情報を読み出して印刷データとして出力するとともに、前記手書き領域の位置情報を前記２次元シンボル生成手段に出力するシート出力制御手段と、
前記シート出力制御手段と２次元シンボル生成手段が出力する印刷データ及び２次元シンボルデータとを入力してプリンタに出力し、調剤支援シートを印刷する印刷制御手段と、を備えたシート印刷装置。
【請求項５】
患者氏名等の固有情報と患者の薬歴情報の少なくともいずれか一方の情報と、薬剤師の手書きの情報とが記載され、さらに手書き領域の位置情報が少なくともデータ化された２次元シンボルが記載された調剤支援シートの画像データを読み取る画像読取手段と、
読み取った画像データを記憶する画像記憶手段と、
画像記憶手段に記憶されたシート画像から２次元シンボルを読み出して少なくとも手書き領域の位置情報を含む元の情報に変換して出力する２次元シンボル読出解析手段と、
画像記憶手段に記憶されたシート画像から指定された領域の画像データを切出して出力する画像切出し手段と、
画像データを含む薬歴情報を記憶する薬歴情報データベースと、
入力されたデータを前記薬歴情報データベースに登録する登録手段と、
前記２次元シンボル読出解析手段が出力する情報に従ってシート画像から切出す位置を決定し、前記画像切出し手段に画像の切出しを指示するとともに、画像切出し手段が出力する画像データを取り込み前記登録手段に出力して画像データの登録を指示する制御手段と、を備えたシート画像登録装置。
【請求項６】
手書き領域を含む複数の領域を有する調剤支援シートを印刷する方法であって、
患者の氏名等の固有情報を記憶する患者固有情報データベースから患者情報を読み出すステップと、
データベースから読み出した患者情報と、シートの手書き領域の位置を表す情報とを2次元シンボルに変換するステップと、
患者の薬歴を記憶する患者薬歴情報データベースから薬歴情報を読み出すステップと、
前記読み出した患者の薬歴情報と、前記変換した２次元シンボルデータとをプリンタに送ってシートを印刷するステップと、
を有することと特徴とする調剤支援シートの印刷方法。
【請求項７】
患者氏名等の固有情報と患者の薬歴情報の少なくともいずれか一方の情報と、薬剤師の手書きの情報とが記載され、さらに手書き領域の位置情報と患者の固有情報の少なくとも一部がデータ化された２次元シンボルが記載された調剤支援シートの画像データを読み取る画像読取ステップと、
読み取った画像データを記憶する画像記憶ステップと、
前記記憶されたシート画像から２次元シンボルを読み出して手書き領域の位置情報を含む元の情報に変換して出力する２次元シンボル読出解析ステップと、
前記記憶されたシート画像から前記２次元シンボルで指定された位置の画像データを切出す画像切出しステップと、
前記切出したシート画像を前記２次元シンボルで指定された患者の情報として患者の薬歴情報を記憶する薬歴情報データベースに登録する登録ステップと、
を有することを特徴とするシート画像登録方法。
【発明の詳細な説明】
【技術分野】
【０００１】
本発明は、調剤薬局等で薬剤師が患者に服薬指導する際に使用する調剤支援シートの印刷装置に関する。
【背景技術】
【０００２】
調剤薬局等において、薬剤師は調剤した医薬品を患者に手渡すとき、薬の飲みかた即ち用法や用量、また、薬の用途や効能などを説明する。これを服薬指導と呼んでいる。この服薬指導の内容を薬剤師が手書きしたものをイメージデータとして保存するシステムが特許文献１に記載されている。このシステムでは、コンピュータに接続したペンタブレットに服薬指導に係るコメントを薬剤師が手書き入力することで、そのイメージデータをシステムに記憶している薬歴簿に貼り付けて記録するものである。これにより、薬剤師は改めてキーボードを使わなくても手軽に指導内容をシステムに入力でき、また、文字だけでなく図も一緒に記録できるものである。そして、服薬指導においては口頭での言葉の説明だけでなく、図や絵を交えて説明することで患者の理解が高まることが期待できる。
【特許文献１】特開２００２−２９７７６８
【発明の開示】
【発明が解決しようとする課題】
【０００３】
服薬指導にあたって薬剤師が図や絵を書く場合、現状、ペンタブレットは紙に比べて表現力が大きく劣っている。解像度が低いので細かな絵や文字が表現できないし、色を変えることもできない。また、薬剤師が複数いる場合、高価なペンタブレットを複数台用意することはコスト高であるし、簡単に移動させて使うこともできない。そこで、本願は、紙に手書きする利点はそのままに、簡単に服薬指導の内容を記録できるようにした調剤支援シートの印刷装置を提供するものである。
【課題を解決するための手段】
【０００４】
本発明は、手書き領域を含む複数の領域を有するシートを印刷するシート印刷装置であって、シートに印刷する情報を記憶するデータベースと、入力されたデータを２次元シンボルデータに変換して出力する２次元シンボル生成手段と、前記データベースからシートに印刷する情報を読み出して印刷データとして出力するとともに、前記手書き領域の位置情報を前記２次元シンボル生成手段に出力するシート出力制御手段と、前記シート出力制御手段と２次元シンボル生成手段が出力する印刷データ及び２次元シンボルデータとを入力しプリンタに出力して印刷する印刷制御手段とを備え、上記課題を解決するものである。
【発明の効果】
【０００５】
本発明によれば、調剤支援シートの特定領域の画像データを自動的に切出してその患者の薬歴情報として登録するので、薬剤師はシートの今回服薬指導欄に指導内容を手書きして後からシートをスキャナに掛けるだけでよい。手書きした指導内容が画像データとして蓄積されるものである。よって薬剤師はキーボードを叩く必要もないし、また、手書きする際にも従来通り紙に鉛筆又はペンで記入することができ、高価なペンタブレット等を使う必要はない。手書きでよいので患者と対面したまま記入することができ、わざわざキーボードに向かう必要はない。また、図や絵を交えて記入することもできるし、色を変えることも任意である。また、忙しいときには窓口終了後にまとめてスキャナに掛けることも可能である。また、設定により２次元シンボルに記述する読取範囲やその領域の項目名を変更することができ、例えば患者特記欄あるいはその一部領域等も取込み対象とすることができる。
【発明を実施するための最良の形態】
【０００６】
本発明の実施の形態における調剤支援装置１の構成を図１に示す。同装置１はコンピュータで構成しており、内部にはハードディスク装置等で構成した記憶手段１０を備え、患者の氏名や生年月日、使用する保険に係る情報などの患者固有の情報を記憶する患者固有情報データベース１１と、患者それぞれの処方せんに基づいて処方した薬剤の履歴を記憶する患者薬歴情報データベース１２とを記憶している。１３はシート出力制御手段であり、患者の最近の処方歴を患者薬歴情報データベース１２から読み出し調剤支援シート４０として出力するよう制御する。１４は２次元シンボル生成手段であり、シート出力制御手段１３から受け取ったデータを２次元シンボルに変換して出力する。２次元シンボルは２次元コードとも呼ばれ、本実施形態では例えばＱＲコード等を想定している。１５は印刷制御手段であり、シート出力制御手段１３から受け取った調剤支援シートのデータと、２次元シンボル生成手段１４から受け取った２次元シンボルのイメージデータとをプリンタ１６に出力する。以上がシート出力側の構成である。
【０００７】
ここで、調剤支援シート４０の印刷例を図４に示す。同シート４０はＢ５版横またはＡ４版横サイズの紙製で、左半分には患者を特定する情報を印刷する患者特記欄４１と、今回の服薬指導の内容を薬剤師が手書きするための今回服薬指導欄４２とがある。右側には前回から前前々回まで過去３回分の処方歴を印刷する欄４３、４４、４５が設けられている。そして、シート出力制御手段１３は患者固有情報データベース１１から患者の氏名、生年月日、性別、使用する保険、既往歴やアレルギー情報等を読み出して患者特記欄４１に印刷するよう制御する。また、患者薬歴情報データベース１２からは最近３回分の薬歴情報即ち当該薬局でその患者に処方した薬剤の記録を読み出してシートの右半分に印刷するよう制御する。薬剤師はこのシート４０を見ながら、また患者に見せながら服薬指導を行なうものである。その際、薬剤師は、患者に対してした服薬指導の内容を今回服薬指導欄４２に手書きする。手書きでよいので患者と対面したまま記入することができ、わざわざキーボードに向かう必要はない。また、図や絵を交えて記入することもできるし、色を変えることも任意である。
【０００８】
シート出力制御手段１３はさらに、患者固有情報データベース１１から読み出した氏名や患者番号等の患者個人を特定できる情報と、シート４０の各欄の名称とそれぞれの位置を表す情報である座標データとを２次元シンボル４６に記述してシート４０の一角に印刷するようにしている。これは後でシート４０をスキャナに掛けて画像データを読み取り、記録する際にどの患者のデータとして記録するか、また、どの欄を切出して記録するかを指示する為のものである。具体的には、例えば、今回服薬指導欄４２の名称とその読取座標と患者番号とを表すデータを２次元シンボルにして印刷しておき、今回服薬指導欄４２に薬剤師が手書きした内容を画像データとして取込んでそれを「今回服薬指導欄」の名称とともにその患者の患者薬歴情報データベース１２に記録するのである。
【０００９】
図３に調剤支援装置１が調剤支援シート４０を印刷する手順を示す。シート出力制御手段１３は患者の固有情報と薬歴情報を両データベース１１、１２から読出し（ステップＳ１１）、印刷データを生成して印刷制御手段１５に送る（同Ｓ１２）。さらに患者の氏名や患者番号等の患者個人を特定できる情報と、シート４０の各欄の名称とそれぞれの座標データとを２次元シンボル生成手段１４に渡す。２次元シンボル生成手段１４はそれらデータを２次元シンボル化して印刷制御手段１５に出力する（同Ｓ１３）。印刷制御手段１５は２次元シンボルのデータを含む印刷データをプリンタ１６に送るので、プリンタ１６は調剤支援シート４０を印刷する（同Ｓ１４）。
【００１０】
図１に戻り、１８はスキャナ等の画像読取手段であり、調剤支援シート４０の画像データを読み取って出力する。１９は画像読取手段１８が出力する画像データを取り込んで記
憶する画像メモリ、２０は２次元シンボル読出／解析手段であり、画像メモリ１９に記憶されたシート画像から２次元シンボル４６を探して読出し、それを解析して患者氏名や患者番号、座標データ等の元の情報に変換して出力する。２１は画像切出し手段であり、画像メモリ１９に記憶されたシート画像から、指示された領域の画像データを切出して出力する。２２はシート読取制御手段であり、２０が出力する座標データに従ってシート画像から切出す位置を決定し、画像切出し手段２１に画像の切出しを指示する。そして、画像切出し手段２１が出力する画像データを受け取ると、それに先だって２次元シンボル読出／解析手段２０から受け取った患者の情報とを関係付けて出力する。２３は薬歴登録手段であり、シート読取制御手段２２が出力するデータを受け取り、患者の薬歴情報の一部として患者薬歴情報データベース１２に追加して登録するものである。以上が薬歴情報登録側の構成である。
【００１１】
図２に調剤支援装置１が薬歴を登録する手順を示す。調剤支援シート４０がセットされるとそれに応じて画像読取手段１８がシート全体の画像データをスキャンして画像メモリ１９に記憶するので、２次元シンボル読出／解析手段２０が２次元シンボル４６を探して読出し、元の患者情報や座標情報に戻して出力する。シート読取制御手段２２はそれを受けて画像切出し手段２１に座標を指定して画像の切出しを指示する。画像切出し手段２１は指定された領域の画像データを画像メモリ１９から切出して出力する。シート読取制御手段２２はそれを受け取り、患者の固有情報と切出した画像情報を関係付けて薬歴情報を生成し、出力する。そして、薬歴登録手段２３がその薬歴情報を当該患者の患者薬歴情報データベース１２に登録する。
【００１２】
２次元シンボル４６に含まれる情報としては、患者の氏名や患者番号等の患者固有の情報、これらは患者の識別情報としても機能するものである、と、シート各欄の名称と、それぞれの読取範囲を示す座標の情報とを含む。具体的には、今回服薬指導欄４２の名称と座標が記述されていた場合、画像切出し手段２１がシート画像の今回服薬指導欄４２部分を切出し、「今回服薬指導欄」の項目名称とともにその患者の患者薬歴情報データベース１２に記録するのである。
【００１３】
このように本実施形態によれば、調剤支援シート４０の特定領域の画像データを自動的に切出してその患者の薬歴情報として登録するので、薬剤師はシート４０の今回服薬指導欄４２に指導内容を手書きして後からシート４０をスキャナ１８に掛けるだけでよい。手書きした指導内容が画像データとして蓄積されるものである。よって薬剤師はキーボードを叩く必要もないし、また、窓口終了後にまとめてスキャナに掛けることも可能である。また、手書きする際にも従来通り紙に鉛筆又はペンで記入することができ、高価なペンタブレット等を使う必要はない。また、設定により２次元シンボル４６に記述する読取範囲やその領域の項目名を変更することができ、例えば患者特記欄４１あるいはその一部領域等も取込み対象とすることができるものである。
【図面の簡単な説明】
【００１４】
【図１】実施形態の調剤支援装置の構成を示すブロック図である。
【図２】実施形態の調剤支援装置が薬歴を登録する手順を示すフローチャートである。
【図３】実施形態の調剤支援装置が調剤支援シートを印刷する手順を示すフローチャートである。
【図４】調剤支援シートの印刷例を示す図である。
【符号の説明】
【００１５】
１  調剤支援装置
１０  記憶手段
１１  患者固有情報データベース
１２  患者薬歴情報データベース
１３  シート出力制御手段
１４  ２次元シンボル生成手段
１５  印刷制御手段
１６  プリンタ
１８  画像読取手段
１９  画像メモリ
２０  ２次元シンボル読出／解析手段
２１  画像切出し手段
２２  シート読取制御手段
２３  薬歴登録手段
４０  調剤支援シート
【図１】
2006146322.tif 000003
【図２】
2006146322.tif 000004
【図３】
2006146322.tif 000005
【図４】
2006146322.tif 000006